(57)【要約】【課題】電気部品間を接続するコネクタが振動や衝撃によって破損したり、接触不良を起すことが少ない電気部品の接続装置を提供する。【解決手段】電子機器の筐体１内に設けられた複数の電気部品２，４同士を、コネクタ５を介して電気的に接続する際、筐体１内に固定された第１の電気部品２に、筐体１の被取り付け部１ａより浮かした状態で第２の電気部品４をコネクタ５を介して直結し、かつ第２の電気部品４を弾性を有する取り付け部材７を介して被取り付け部１ａに取り付けるようにしたもので、電子機器の使用中に筐体１に振動や衝撃が作用しても、取り付け部材７が弾性変形して振動や衝撃を吸収するため、第１、第２の電気部品２，４同士を接続するコネクタ５が振動や衝撃によって破損したり、接触不良を起すことが少ない。【選択図】　図２
2004022269.tif 000002
【特許請求の範囲】
【請求項１】
電子機器の筐体内に設けられた複数の電気部品同士を、コネクタを介して電気的に接続する電気部品の接続装置であって、前記筐体内に固定された第１の電気部品に、前記筐体の被取り付け部より浮かした状態で第２の電気部品をコネクタを介して直結し、かつ前記第２の電気部品を弾性を有する取り付け部材を介して前記被取り付け部に取り付けたことを特徴とする電気部品の接続装置。
【請求項２】
前記筐体の前記被取り付け部に凹部を形成することにより、前記第２の電気部品を前記被取り付け部より浮かしてなる請求項１に記載の電気部品の接続装置。
【請求項３】
前記取り付け部材の一端側に前記第２の電気部品を取り付け、かつ前記取り付け部材の他端側を前記凹部の周辺部に取り付けると共に、前記凹部の周辺部近傍に位置する前記取り付け部材に、長孔または薄肉部を形成してなる請求項２に記載の電気部品の接続装置。
【請求項４】
前記取り付け部材のほぼ中央部に前記第２の電気部品を取り付け、かつ前記取り付け部材の両端側を前記凹部の周辺部に取り付けると共に、前記凹部の周辺部近傍に位置する前記取り付け部材に、長孔または薄肉部を形成してなる請求項２に記載の電気部品の接続装置。
【発明の詳細な説明】
【０００１】
【発明の属する技術分野】
本発明は電子機器に使用されている電気部品の接続装置に関する。
【０００２】
【従来の技術】
従来電子機器には多くの電気部品が使用されているが、各電気部品は、さらにコネクタ及びケーブルにより電気的に接続されている。
【０００３】
図５は電子機器に使用されている複数の電気部品ａ，ｂをコネクタｃ及びケーブルｄを介して電気的に接続した接続装置の一例を示すもので、電気部品ａの外側面に複数のコネクタｃが設けられていて、これらコネクタｃと隣接する電気部品ａ，ｂの間はケーブルｄで接続された構造となっている。
【０００４】
また図６に示す接続装置は、電子機器の筐体ｅに固定された電気部品ｂのコネクタｃに電気部品ａのコネクタｃを直結して、電気部品ａを筐体ｅより浮かした状態で電気部品ｂに保持させることにより、ケーブルｄを省略したものである。
【０００５】
【発明が解決しようとする課題】
しかし図５に示す電気部品の接続装置では、各電気部品ａ，ｂ間を接続するケーブルｃの配線スペースを必要とするため、多くの電気部品ａ，ｂが使用されている電子機器では、筐体内に多くの配線スペースを確保する必要があって、このことから、電子機器を小型化できない等の問題がある。
【０００６】
またコネクタ数の増加による損失と、長いケーブルを使用することによる損失により電子機器の性能が劣化したり、外部ノイズの影響を受けやすいなどの問題もある。
【０００７】
一方図６に示す電気部品の接続装置では、電気部品ａを電気部品ｂのコネクタｃに直接接続することによりケーブルｃを省略できるため、ケーブルの損失による電子機器の性能劣化は改善できるが、電気部品ａの荷重が電気部品ｂのコネクタｃにのみ加わるため、筐体ｅに振動や衝撃が加わった場合、電気部品ｂのコネクタｃに応力が集中して、コネクタｃが破損したり、接触不良を起す等の問題がある。
【０００８】
本発明はかかる従来の問題を改善するためになされたもので、電気部品間を接続するコネクタに負担をかけることが少ない電気部品の接続装置を提供することを目的とするものである。
【０００９】
【課題を解決するための手段】
前記目的を達成するため本発明の電気部品の接続装置は、電子機器の筐体内に設けられた複数の電気部品同士を、コネクタを介して電気的に接続する電気部品の接続装置であって、筐体内に固定された第１の電気部品に、筐体の被取り付け部より浮かした状態で第２の電気部品をコネクタを介して直結し、かつ第２の電気部品を弾性を有する取り付け部材を介して被取り付け部に取り付けたものである。
【００１０】
前記構成により、ケーブルを使用せずに筐体内の各電気部品同士を接続することができるため、ケーブルを配線するためのスペースが筐体内に不要となり、これによって電子機器の小型化が図れると共に、コネクタやケーブルによる損失を低減することができるため、電子機器の性能向上が図れる上、外部ノイズに影響を受けることも少なくなる。
【００１１】
また電子機器の使用中に筐体に振動や衝撃が作用しても、取り付け部材が弾性変形して振動や衝撃を吸収するため、電気部品同士を接続するコネクタに応力が集中することがなく、これによってコネクタが破損したり、接触不良を起こすのを未然に防止することができる。
【００１２】
前記目的を達成するため本発明の電気部品の接続装置は、筐体の被取り付け部に凹部を形成することにより、第２の電気部品を被取り付け部より浮かしたものである。
【００１３】
前記構成により、筐体に各電気部品を取り付けた際の組み立て公差や、被取り付け部の加工精度にバラツキがあっても、第２の電気部品が被取り付け部に接触することがないため、組み立て公差や、加工精度のバラツキにより電気部品同士が接続できなくなったり、コネクタ部分に無理な力が作用するのを防止することができる。
【００１４】
前記目的を達成するため本発明の電気部品の接続装置は、取り付け部材の一端側に第２の電気部品を取り付け、かつ取り付け部材の他端側を凹部の周辺部に取り付けると共に、凹部の周辺部近傍に位置する取り付け部材に、長孔または薄肉部を形成したものである。
【００１５】
前記構成により、取り付け部材が長孔や薄肉部分より容易に弾性変形するため、筐体に作用する振動や衝撃を確実に吸収することができるようになる。
【００１６】
前記目的を達成するため本発明の電気部品の接続装置は、取り付け部材のほぼ中央部に第２の電気部品を取り付け、かつ取り付け部材の両端側を凹部の周辺部に取り付けると共に、凹部の周辺部近傍に位置する取り付け部材に、長孔または薄肉部を形成したものである。
【００１７】
前記構成により、取り付け部材が長孔や薄肉部分より容易に弾性変形するため、筐体に作用する振動や衝撃を確実に吸収することができると共に、取り付け部材が両持ち構造で被取り付け部へ取り付けられるため、重量の重い電気部品であっても、確実に固定することができる。
【００１８】
【発明の実施の形態】
本発明の実施の形態を図１ないし図３に示す図面を参照して詳述する。
【００１９】
図１は電気部品と取り付け部材の分解斜視図、図２は電気部品を電子機器の筐体へ取り付ける際の分解斜視図、図３は電気部品を筐体に取り付けた状態の断面図である。
【００２０】
電子機器の筐体１は、図２に示すように一部がヒートシンク等の被取り付け部１ａより形成されていて、この被取り付け部１ａ上に、放熱を必要とする複数の第１の電気部品２がビス等の固着具３により直付けされており、一部の電気部品（以下第２の電気部品と呼ぶ）４は、第１の電気部品２の側面に設けられたコネクタ５に直接接続されている。
【００２１】
第２の電気部品４は例えば３方にコネクタ５が設けられていて、これらコネクタ５の一部はケーブル６を介して隣接する第１の電気部品２に接続されていると共に、第２の電気部品４の下方には、第２の電気部品４の底面が被取り付け部１ａの上面に接触しないよう、第２の電気部品４の底面積よりやや大きい凹部１ｂが形成されている。
【００２２】
また第２の電気部品４の底面には、第２の電気部品４の長手方向と直行するよう取り付け部材７の一端側がビス等の固着具８により固着されている。
【００２３】
取り付け部材７は図１に示すように第２の電気部品４とほぼ同大か、やや小さい金属やプラスチックの薄板より形成されていて、一端側とほぼ中央に固着具８を螺挿するねじ孔７ａが穿設され、他端側には、取り付け部材７を被取り付け部１ａに取り付けるビス等の固着具９を挿入する取り付け孔７ｂが穿設されている。
【００２４】
そして取り付け部材７のほぼ中央部に穿設されたねじ孔７ａと取り付け部材７の他端側に穿設された取り付け孔７ｂの間に、例えば２個の長孔７ｃが取り付け部材７の長手方向と直行する方向に穿設されている。
【００２５】
これら長孔７ｃは取り付け部材７が弾性変形しやすくするためのもので、被取り付け部１ａに取り付け部材７の他端側を固着した際、被取り付け部１ａに形成された凹部１ｂの周辺部１ｃに沿うように形成されている。
【００２６】
次に前記構成された電気部品の接続装置の作用を説明する。
【００２７】
筐体１の被取り付け部１ａに電気部品４以外の隣接する第１の電気部品２を取り付けた後第２の電気部品４を取り付けるが、第２の電気部品４の取り付けに当っては、まず第２の電気部品４の底面に取り付け部材７の一端側を固着具８により取り付ける。
【００２８】
次に第２の電気部品４と隣接する第１の電気部品２の間をコネクタ５とケーブル６により接続したら、第２の電気部品４と第１の電気部品２の間を直結する。
【００２９】
そして最後に取り付け部材７の他端側に穿設された取り付け孔７ｂに挿入した固着具９を被取り付け部１ａに穿設したねじ孔１ｄに螺挿して、被取り付け部１ａに取り付け部材７の他端部を固着するもので、第２の電気部品４の組み立て公差や、被取り付け部１ａの加工精度にバラツキがあっても、被取り付け部１ａには予め凹部１ｂが形成されているため、第２の電気部品４の底面が被取り付け部１ａに接触することがない。
【００３０】
これによって組み立て公差や被取り付け部１ａの加工精度のバラツキが原因で、第１、第２の電気部品２，４間を直結するコネクタ５に無理な力が作用することがない。
【００３１】
また電子機器の使用中に、筐体１に振動や衝撃が加わっても、取り付け部材７が長孔７ｃ部分より図３の矢印Ａ，Ｂに示すように上下に弾性変形して、振動や衝撃を吸収するため、第１、第２の電気部品２，４間を直結するコネクタ５部分に応力が集中することがなく、これによってコネクタ５が破損したり、接触不良を起すのを未然に防止することができる。
【００３２】
なお前記実施の形態では、取り付け部材７の一端側に第２の電気部品４を取り付け、取り付け部材７の他端側を被取り付け部１ａに固定した片持ち構造について説明したが、図４に示す変形例のように、取り付け部材７の中央部に第２の電気部品４を取り付け、取り付け部材７の両端を被取り付け部１ａに固着具９で固定した両持ち構造としてもよい。
【００３３】
この場合取り付け部材７の弾性変形が妨げられないように、取り付け部材７の両端側にそれぞれ長孔７ｃを形成すればよい。
【００３４】
また取り付け部材７に弾性を付与する手段としては、取り付け部材７の長手方向に凹溝を形成して、取り付け部材７の一部を薄肉にしてもよい。
【００３５】
【発明の効果】
本発明は以上詳述したように、電子機器の筐体内に設けられた複数の電気部品同士を、コネクタを介して電気的に接続する際、筐体内に固定された第１の電気部品に、筐体の被取り付け部より浮かした状態で第２の電気部品をコネクタを介して直結し、かつ第２の電気部品を弾性を有する取り付け部材を介して被取り付け部に取り付けるようにしたことから、ケーブルを使用せずに筐体内の各電気部品同士を接続することができるため、ケーブルを配線するためのスペースが筐体内に不要となり、これによって電子機器の小型化が図れると共に、コネクタやケーブルによる損失を低減することができるため、電子機器の性能向上が図れる上、外部ノイズに影響を受けることも少なくなる。
【００３６】
また電子機器の使用中に筐体に振動や衝撃が作用しても、取り付け部材が弾性変形して振動や衝撃を吸収するため、電気部品同士を接続するコネクタに応力が集中することがなく、これによってコネクタが破損したり、接触不良を起こすのを未然に防止することができる。
【図面の簡単な説明】
【図１】本発明の実施の形態になる電気部品の接続装置に使用する電気部品と取り付け部材を示す分解斜視図
【図２】本発明の実施の形態になる電気部品の接続装置を示す分解斜視図
【図３】本発明の実施の形態になる電気部品の接続装置を示す断面図
【図４】本発明の実施の形態になる電気部品の接続装置の変形例を示す断面図
【図５】従来の電気部品の接続装置を示す斜視図
【図６】従来の電気部品の接続装置を示す斜視図
【符号の説明】
１　　　筐体
１ａ　　被取り付け部
１ｂ　　凹部
１ｃ　　周辺部
２　　　第１の電気部品
４　　　第２の電気部品
５　　　コネクタ
６　　　ケーブル
７　　　取り付け部材
７ｃ　　長孔
【図１】
2004022269.tif 000003
【図２】
2004022269.tif 000004
【図３】
2004022269.tif 000005
【図４】
2004022269.tif 000006
【図５】
2004022269.tif 000007
【図６】
2004022269.tif 000008